(57)【特許請求の範囲】
【請求項１】
瓦棒葺屋根の上面に設置物を取り付けるための瓦棒葺屋根用取付金具であって、
瓦棒葺屋根の凸状に形成された瓦棒の左右両端に設けられた馳締部の内側面に当接する底面部と、
馳締部の外側面に当接するとともに瓦棒の幅方向に貫通させたボルト及びナットで底面部側へ締め付ける一対の側面部と、
底面部の上方にあって設置物を取り付けるための固定具用の穿孔を形成した上面部とを備え、
底面部と側面部と上面部とは折曲により一体成形されながら、
上面部は、その両側端を垂下させて側面部を瓦棒の幅方向に貫通させたボルトによって支持されるとともに、側面部は、その上端を上面部側へ折曲することで、設置物の荷重を上面部と側面部の双方で受けていることを特徴とする瓦棒葺屋根用取付金具。
【請求項２】
側面部は、その下端を馳締部側へ折曲して馳締部の外側面の下側に形成された段部に係止する係止部を設けるとともに、馳締部の外側面に当接する部分に馳締部側へプレスした押圧部を設けたことを特徴とする請求項１記載の瓦棒葺屋根用取付金具。
【請求項３】
底面部は、瓦棒の長手方向に沿ってリブ溝を形成したことを特徴とする請求項１又は２記載の瓦棒葺屋根用取付金具。
【請求項４】
底面部は、上面部の穿孔と相対する位置に固定具挿入用の穿孔を形成したことを特徴とする請求項１から３のいずれかに記載の瓦棒葺屋根用取付金具。
【請求項５】
略十字形に形成された板材を折曲して一体成形したことを特徴とする請求項１から４のいずれかに記載の瓦棒葺屋根用取付金具。
【発明の詳細な説明】
【技術分野】
【０００１】
本願発明は、瓦棒葺屋根の上面に設置物（例えば、ソーラーパネルなど）を取り付けるための瓦棒葺屋根用取付金具に関するものである。
【背景技術】
【０００２】
金属屋根にソーラーパネルなどの設置物を取り付けるための取付金具としては、下記の特許文献１〜特許文献９に示すものなどが挙げられる。
【０００３】
ここで、金属屋根の一種で、凸状に形成された瓦棒を有する「瓦棒葺屋根」においては、従来より図８に示す取付金具が使用されてきた。
図８に示す取付金具８０は、図８（ａ）に示すように上部パーツ８１と下部パーツ８２の２部品からなり、これをボルト８３及びナット８４で組み合わせて使用する。詳しくは、図８（ｂ）に示すように、瓦棒葺屋根９０の瓦棒９１に下部パーツ８２を嵌め込み、上部パーツ８１で瓦棒９１の馳締部９２，９２を外側から握持するようにして固定する。そして、上部パーツ８１に設けられたボルト８５を介して、設置物（図示省略）を取り付けることができるものである。
【先行技術文献】
【特許文献】
【０００４】
【特許文献１】特開２０１１−０８４９８４号公報
【特許文献２】特開２０１２−００２００４号公報
【特許文献３】特開２０１１−１２７３３０号公報
【特許文献４】特開２０１１−２４６８９５号公報
【特許文献５】特開２００７−２０５０５８号公報
【特許文献６】特開２００８−１９６２３０号公報
【特許文献７】特開２００８−３０３６６０号公報
【特許文献８】特開２００９−０９１８２５号公報
【特許文献９】特開２００３−２６８９３８号公報
【発明の概要】
【発明が解決しようとする課題】
【０００５】
確かに、取付金具８０を使用することで、瓦棒葺屋根に設置物を取り付けることが可能になる。しかしながら、取付金具８０には、次のような課題を有していた。
（１）上部パーツ８１と下部パーツ８２の２部品からなるため、製造工程が上部パーツの製造と下部パーツの製造の２工程を必要としていた。
（２）同様に２部品からなるため、上部パーツ８１と下部パーツ８２の組み立て作業を必要としていた。
（３）同様に２部品からなるため、部品の管理が煩雑であった。
（４）また、瓦棒９１に下部パーツ８２を嵌め込む際に、ボルト８５を備えた上部パーツ８１がボルト８３を軸に回動してしまうので（ボルト８３を緩めているため上部パーツが不安定な状態になる）、作業性・施工性に難があった。
【０００６】
これに対して、本願発明者は、上記した従来の取付金具８０の課題を解決し、従来にない新規な取付金具を提供すべく鋭意試験・研究を行い、本願発明を完成するに至った。
【課題を解決するための手段】
【０００７】
上記目的を達成するために、本願発明の第１の発明は、瓦棒葺屋根の上面に設置物を取り付けるための瓦棒葺屋根用取付金具であって、瓦棒葺屋根の凸状に形成された瓦棒の左右両端に設けられた馳締部の内側面に当接する底面部と、馳締部の外側面に当接するとともに瓦棒の幅方向に貫通させたボルト及びナットで底面部側へ締め付ける一対の側面部と、底面部の上方にあって設置物を取り付けるための固定具用の穿孔を形成した上面部とを備え、底面部と側面部と上面部とは折曲により一体成形されていることを特徴とするものである。
第２の発明は、側面部が、その下端を馳締部側へ折曲して馳締部の外側面の下側に形成された段部に係止する係止部を設けるとともに、馳締部の外側面に当接する部分に馳締部側へプレスした押圧部を設けたことを特徴とする同瓦棒葺屋根用取付金具である。
第３の発明は、底面部が、瓦棒の長手方向に沿ってリブ溝を形成したことを特徴とする同瓦棒葺屋根用取付金具である。
第４の発明は、底面部が、上面部の穿孔と相対する位置に固定具挿入用の穿孔を形成したことを特徴とする同瓦棒葺屋根用取付金具である。
第５の発明は、上面部が、側面部を瓦棒の幅方向に貫通させたボルトによって支持されていることを特徴とする同瓦棒葺屋根用取付金具である。
第６の発明は、略十字形に形成された板材を折曲して一体成形したことを特徴とする同瓦棒葺屋根用取付金具である。
【発明の効果】
【０００８】
上記した本願発明によれば、以下のような効果を有する。
（１）本願発明は、瓦棒葺屋根の凸状に形成された瓦棒の左右両端に設けられた馳締部の内側面に当接する底面部と、馳締部の外側面に当接するとともに瓦棒の幅方向に貫通させたボルト及びナットで底面部側へ締め付ける一対の側面部と、底面部の上方にあって設置物を取り付けるための固定具用の穿孔を形成した上面部とを備え、底面部と側面部と上面部とは折曲により一体成形されていることで、１部品（各部品を分割せず一体構成となっている）で取付金具としての機能を具備する瓦棒葺屋根用取付金具を提供できる。
（２）取付金具が１部品であることで、従来の瓦棒葺屋根用取付金具の課題であった製造工程を１工程に短縮できるとともに、組立作業・部品管理を低減できる。また、固定具用の穿孔を備えた上面部が可動することはないので、作業性・施工性が向上する。
（３）側面部が、その下端を馳締部側へ折曲して馳締部の外側面の下側に形成された段部に係止する係止部を設けるとともに、馳締部の外側面に当接する部分に馳締部側へプレスした押圧部を設けたことで、側面部による締め付けが強固になり、より確実に取付部材を瓦棒に固定できる。
（４）底面部が、瓦棒の長手方向に沿ってリブ溝を形成したことで、リブ溝が底面部の補強とともに瓦棒に溜った雨水を通すので、錆を防止できる。
（５）底面部が、上面部の穿孔と相対する位置に固定具挿入用の穿孔を形成したことで、ボルト等の固定具を上面部の穿孔に備えることが容易になる。
（６）上面部が、側面部を瓦棒の幅方向に貫通させたボルトによって支持されていることで、上面部の強度を高めることができる。
（７）略十字形に形成された板材を折曲して取付金具を一体成形したことで、１部品（各部品を分割せず一体構成となっている）で取付金具としての機能を具備する瓦棒葺屋根用取付金具を提供できる。
【図面の簡単な説明】
【０００９】
【図１】瓦棒葺屋根用取付金具の全体構造を示す斜視図。
【図２】瓦棒葺屋根用取付金具の使用状態を示す説明図。
【図３】瓦棒葺屋根用取付金具の使用状態を示す断面図。
【図４】瓦棒葺屋根用取付金具の第１実施形態を示す説明図（展開図及び原型図）。
【図５】瓦棒葺屋根用取付金具の第２実施形態を示す説明図（展開図及び原型図）。
【図６】瓦棒葺屋根用取付金具の第３実施形態を示す説明図（展開図及び原型図）。
【図７】瓦棒葺屋根用取付金具の第４実施形態を示す説明図（展開図及び原型図）。
【図８】従来の瓦棒葺屋根用取付金具を示す説明図。
【発明を実施するための形態】
【００１０】
本願発明の実施形態を図面に基づいて説明する。
図１は、本願発明に係る瓦棒葺屋根用取付金具１０の全体構造を示す斜視図である（図１（ａ）は上方からの斜視図、図１（ｂ）は下方からの斜視図）。
図１に示すように、瓦棒葺屋根用取付金具１０は、底面部２０と一対の側面部３０，３０と上面部４０とを備え、その底面部２０と側面部３０，３０と上面部４０は折曲により一体成形されている。
ここで、側面部３０には、瓦棒の幅方向にボルトを貫通させるためのボルト孔３１を有する。
上面部４０には、設置物を取り付けるためのボルト等の固定具用の穿孔４１を有する。
底面部２０には、上面部４０の穿孔４１と相対する位置に固定具挿入用の穿孔２１を有する。底面部２０に固定具挿入用の穿孔２１を形成したことで、ボルト等の固定具を上面部４０の穿孔４１に備えることが容易になる。
【００１１】
図２は、瓦棒葺屋根用取付金具１０の使用状態を示す説明図である。
図２に示すように、瓦棒葺屋根用取付金具１０は瓦棒葺屋根９０の凸状に形成された瓦棒９１に固定して使用されるものである。まず、瓦棒９１の左右両端に設けられた馳締部９２，９２の内側面９３，９３に当接するように底面部２０を嵌め込む。次に、馳締部９２，９２の外側面に側面部３０，３０を当接させながらボルト５０及びナット５１で底面部２０側へ締め付ける。そして、側面部３０，３０の締め付けと、これに反発する底面部２０とによって、瓦棒葺屋根用取付金具１０は瓦棒９１に確実に固定される（図３を参照のこと）。
【００１２】
ここで、上面部４０は、底面部２０や側面部３０，３０と一体成形（一体構成）されているので、瓦棒９１への固定に際して可動することはない。従って、上面部４０に設けられるボルト等の固定具（図示省略）が安定した状態にあるので、設置物を取り付ける場合の作業性・施工性に優れたものとなっている。
また、上面部４０は、側面部３０，３０を瓦棒９１の幅方向に貫通させたボルト５０によって支持されることで、その強度を高めることができる。すなわち、設置物の荷重等によって上面部４０に負荷がかかるが、変形・坐屈等を起こすことなくその形状を保持できる。
【００１３】
図３は、瓦棒葺屋根用取付金具１０の使用状態を示す断面図である。
図３に示すように、瓦棒葺屋根用取付金具１０は、側面部３０，３０の締め付けと、これに反発する底面部２０とによって瓦棒９１に確実に固定される。この時、側面部３０は、その下端を馳締部９２側へ折曲して馳締部９２の外側面９４の下側に形成された段部に係止する係止部３２を設けるとともに、馳締部９２の外側面９４に当接する部分に馳締部９２側へプレスした押圧部３３を設けたことで、側面部３０，３０による締め付けが強固になり、より確実に瓦棒葺屋根用取付金具１０を瓦棒９１に固定できる。
また、底面部２０が、瓦棒９１の長手方向に沿ってリブ溝２２を形成したことで、リブ溝２２が底面部２０の補強とともに瓦棒９１に溜った雨水を通すので、錆を防止できる。
なお、リブは補強のために側面部３０や上面部４０などにも適宜形成するとよい。
【００１４】
図４は、瓦棒葺屋根用取付金具の第１実施形態を示す説明図であり、図４（ａ）は展開図、図４（ｂ）は原型図である。
第１実施形態は、図１〜図３に図示した瓦棒葺屋根用取付金具１０である。図４（ａ）に示すように、略十字形に形成された板材１１Ａを用意する。ここで、符号１２Ａは底面部、符号１３Ａは側面部、符号１４Ａは上面部になる部分である。また、符号１５Ａは各部材を繋ぐための繋ぎ目である。そして、図４（ｂ）に示すように、板材１１Ａを折曲することで、瓦棒葺屋根用取付金具１０の原型１０Ａが完成する。瓦棒葺屋根用取付金具１０は、この原型１０Ａにさらにリブ加工や折曲加工などを施して完成する。このように、瓦棒葺屋根用取付金具１０（第１実施形態）は、１枚の板材を折曲して一体成形したことで、１部品（各部品を分割せず一体構成となっている）で取付金具としての機能を具備する極めて優れた瓦棒葺屋根用取付金具を提供できる（以下、第２実施形態〜第４実施形態において同様である）。
【００１５】
図５は、瓦棒葺屋根用取付金具の第２実施形態を示す説明図であり、図５（ａ）は展開図、図５（ｂ）は原型図である。
第２実施形態は、瓦棒葺屋根用取付金具のその他の実施形態である。図５（ａ）に示すように、略Ｔ字形に形成された板材１１Ｂを用意する。ここで、符号１２Ｂは底面部、符号１３Ｂは側面部及び上面部になる部分である。また、符号１５Ｂは各部材を繋ぐための繋ぎ目である。そして、図５（ｂ）に示すように、板材１１Ｂを折曲することで、瓦棒葺屋根用取付金具（第２実施形態）の原型１０Ｂが完成する。瓦棒葺屋根用取付金具（第２実施形態）は、この原型１０Ｂにさらにリブ加工や折曲加工などを施して完成する。
【００１６】
図６は、瓦棒葺屋根用取付金具の第３実施形態を示す説明図であり、図６（ａ）は展開図、図６（ｂ）は原型図である。
第３実施形態は、瓦棒葺屋根用取付金具のその他の実施形態である。図６（ａ）に示すように、略十字形に形成された板材１１Ｃを用意する。ここで、符号１２Ｃは底面部及び上面部、符号１３Ｃは側面部になる部分である。また、符号１５Ｃは各部材を繋ぐための繋ぎ目である。そして、図６（ｂ）に示すように、板材１１Ｃを折曲することで、瓦棒葺屋根用取付金具（第３実施形態）の原型１０Ｃが完成する。瓦棒葺屋根用取付金具（第３実施形態）は、この原型１０Ｃにさらにリブ加工や折曲加工などを施して完成する。
【００１７】
図７は、瓦棒葺屋根用取付金具の第４実施形態を示す説明図であり、図７（ａ）は展開図、図７（ｂ）は原型図である。
第４実施形態は、瓦棒葺屋根用取付金具のその他の実施形態である。図７（ａ）に示すように、略Ｙ字形に形成された板材１１Ｄを用意する。ここで、符号１２Ｄは底面部、符号１３Ｄは側面部、符号１４Ｄは上面部になる部分である。また、符号１５Ｄは各部材を繋ぐための繋ぎ目である。そして、図７（ｂ）に示すように、板材１１Ｄを折曲することで、瓦棒葺屋根用取付金具（第４実施形態）の原型１０Ｄが完成する。瓦棒葺屋根用取付金具（第４実施形態）は、この原型１０Ｄにさらにリブ加工や折曲加工などを施して完成する。
【００１８】
上記のように、図４〜図７において本願発明に係る瓦棒葺屋根用取付金具の実施形態（第１実施形態〜第４実施形態）を説明したが、本願発明に係る瓦棒葺屋根用取付金具の実施形態はこれらに限定されるものではない。
【産業上の利用可能性】
【００１９】
本願発明に係る瓦棒葺屋根用取付金具は、瓦棒葺屋根の上面にソーラーパネル等の設置物を取り付けるために広く利用できるものである。なお、瓦棒葺屋根用取付金具の構造上、瓦棒葺の心木の有無は問わない。
【符号の説明】
【００２０】
１０  瓦棒葺屋根用取付金具
１１  板材
２０  底面部
２１  穿孔
３０  側面部
３１  ボルト孔
３２  係止部
３３  押圧部
４０  上面部
４１  穿孔
５０  ボルト
５１  ナット
９０  瓦棒葺屋根
９１  瓦棒
９２  馳締部
９３  内側面
９４  外側面
【図１】
0005776108.tif 000002
【図２】
0005776108.tif 000003
【図３】
0005776108.tif 000004
【図４】
0005776108.tif 000005
【図５】
0005776108.tif 000006
【図６】
0005776108.tif 000007
【図７】
0005776108.tif 000008
【図８】
0005776108.tif 000009